(57)【要約】【課題】ガラリ本体の締付け固着用の孔明け加工が一切不要であり、装着対象物に対する着脱が弾性係合によって簡便かつ的確になされる換気ガラリを提供する。【解決手段】ガラリ本体の胴部外面に額縁部との間で装着対象物の取付用開口部の一側の縁辺部を挟みこむ係止突起を突設し、先端部にロックピンを設けた可動ロック部材の基端部を、前記係止突起とは反対側において前記ロックピンと平行な支軸によって前記胴部に回転可能に支持し、前記取付用開口部の他側の縁辺部を前記額縁部との間で挟みこむ留止突起を前記可動ロック部材の基端部側面に突設し、前記ガラリ本体に前記ロックピンが弾性係合するピン受溝を形成する。【選択図】図５
2006098028.tif 000002
【特許請求の範囲】
【請求項１】
多数の通気用開口部を片面側に形成してあり、胴部が装着対象物の取付用開口部に嵌合されたとき、額縁部が前記取付用開口部の周囲の装着対象物に突き当てられるガラリ本体において、
前記胴部の外面に前記額縁部との間で前記取付用開口部の一側の縁辺部を挟みこむ係止突起を突設し、先端部にロックピンを設けた可動ロック部材の基端部を、前記係止突起とは反対側において前記ロックピンと平行な支軸によって前記胴部に回転可能に支持し、前記取付用開口部の他側の縁辺部を前記額縁部との間で挟みこむ留止突起を前記可動ロック部材の基端部側面に突設し、前記ガラリ本体に前記ロックピンが対面する部位にピン受溝を形成し、
前記額縁部と前記係止突起との間に取付用開口部の前記一側の縁辺部を係合させて、前記ガラリ本体を前記取付用開口部に嵌合させ、前記可動ロック部材を前記支軸の周りに回転させることによって、前記額縁部と前記留止突起との間に取付用開口部の前記他側の縁辺部を係合させた位置において、前記ロックピンを前記ピン受溝に弾性係合させるようにした換気ガラリ。
【発明の詳細な説明】
【技術分野】
【０００１】
本発明は、屋外設置の機器収納用筐体等において、筐体の側面壁や扉といった装着対象物に形成した取付用開口部に嵌合して装着され、ガラリ本体の正面部に形成した多数の通気
用開口部を通して筐体内の空気を換気するようにした換気ガラリに関する。
【背景技術】
【０００２】
従来の換気ガラリではガラリ本体を装着対象物に装着するには、装着対象物に形成した取付用開口部にガラリ本体の胴部を正面側から嵌合して、ガラリ本体の額縁部を前記取付用開口部の縁辺部に突き当て、該額縁部の前後方向の貫通孔から締付け固着用ビスを当該縁辺部に捻じ込んでいる（特許文献１参照）。
【０００３】
しかしながら、このような装着構造では、ガラリ本体の額縁部にビス挿入用の貫通孔を穿設加工しなければならないので、その分だけ加工コストが増大し、また、ガラリ体の着脱作業に当たっては、ガラリ本体を装着対象物に押し当てた状態を保持して、締付け固着用ビスをドライバーで何回も回さなければならないため、作業能率が悪かった。
【０００４】
装着対象物が木製である場合には木ネジ式のビスが使用でき、前記取付用開口部の縁辺部に対する孔明け加工は不要であるが、装着対象物が金属製であって木ネジ式のビスが使用できない場合には、前記取付用開口部の縁辺部にも貫通孔を穿設加工し、ガラリ本体の額縁部の前記貫通孔と装着対象物の前記貫通孔を通して締付け固着用ボルトを正面側から挿入し、該ボルトに背面側からナットを螺合しなければならない。そのため、孔明け加工のコスト負担が更に増大し、ガラリ本体の着脱作業が煩雑なものとなった。
【０００５】
【特許文献１】特開２００４−１４４４０６号公報
【発明の開示】
【発明が解決しようとする課題】
【０００６】
本発明の課題は、ガラリ本体の額縁部及び装着対象物の取付用開口部の縁辺部に対する締付け固着用の孔明け加工が一切不要であり、ガラリ本体の装着対象物に対する装着がワンタッチ操作によって簡便かつ的確になされる換気ガラリを提供することである。
【課題を解決するための手段】
【０００７】
本発明の換気ガラリでは、多数の通気用開口部を片面側に形成してあり、胴部が装着対象物の取付用開口部に嵌合されたとき、額縁部が前記取付用開口部の周囲の装着対象物に突き当てられるガラリ本体において、
前記胴部の外面に前記額縁部との間で前記取付用開口部の一側の縁辺部を挟みこむ係止突起を突設し、先端部にロックピンを設けた可動ロック部材の基端部を、前記係止突起とは反対側において前記ロックピンと平行な支軸によって前記胴部に回転可能に支持し、前記取付用開口部の他側の縁辺部を前記額縁部との間で挟みこむ留止突起を前記可動ロック部材の基端部側面に突設し、前記ガラリ本体に前記ロックピンが対面する部位にピン受溝を形成する。
【０００８】
前記額縁部と前記係止突起との間に取付用開口部の前記一側の縁辺部を係合させて、前記ガラリ本体を前記取付用開口部に嵌合させてから、前記可動ロック部材を前記支軸の周りに回転させることによって、前記額縁部と前記留止突起との間に取付用開口部の前記他側の縁辺部を係合させた位置において、前記ロックピンを前記ピン受溝に弾性係合させ、これによって前記ガラリ本体を装着対象物に定着させる。
【発明の効果】
【０００９】
本発明では、装着対象物に対するガラリ本体の装着は、前記取付用開口部の前記一側の縁辺部に前記額縁部と前記係止突起を両面側から係合させた状態で、ガラリ本体の前記胴部を装着対象物の前記取付用開口部に嵌合した後、前記可動ロック部材を前記支軸を中心に回転させて、前記留止突起と前記額縁部の間に前記取付用開口部の前記他側の縁辺部を挟持し、この挟持状態を前記ロックピンと前記ピン受溝との弾性係合によって保持することによって完了するものであるから、ガラリ本体の前記額縁部及び装着対象物の取付用開口部の前記縁辺部に対する締付け固着用の孔明け加工は一切不要となり、ガラリ本体についての加工コストを節減することができる。
【００１０】
前記留止突起と前記額縁部による前記取付用開口部の前記他側の縁辺部の挟持は、前記可動ロック部材の回転終端において自動的に成立するため、ガラリ本体の装着作業がワンタッチで簡便かつ的確に行なわれる。
ガラリ本体の取外しに当たっては、前記可動ロック部材を逆方向に回転させて、前記ロックピンと前記ピン受溝との弾性係合を解除し、前記留止突起を前記取付用開口部の前記他側の縁辺部から離反させ、その後、前記額縁部と前記係止突起の間に挟み込んだ取付用開口部の前記一側の縁辺部を中心にガラリ本体を斜めに回動して前記胴部を前記取付用開口部から抜取れば良いから、ガラリ本体の取外し作業もワンタッチで簡便かつ的確に行なわれる。
【実施例】
【００１１】
図示の実施例においては、ガラリ本体１の額縁部２は矩形状であり、額縁部２の内側には左右横方向に長い溝孔状の通気用開口部３が多数個並列に形成され、各通気用開口部３の間には上方からの雨水の入り込みを防止するフィン状の庇部材４が配置されている。ガラリ本体１の胴部５は額縁部２よりも一回り小さい矩形筒状断面に形成され、係止突起６は胴部５の下側辺部５ｂの外面に突設されている。
制御盤格納用筐体の側面壁よりなる装着対象物７に設けられる取付用開口部８は、ガラリ本体１の胴部５に符合する形状及び大きさに形成されている。額縁部２に対面する係止突起６の側面は複数個の段丘状の傾斜面で構成されている。これは装着対象物７の一定範囲内の肉厚の変動に対応するためである。
【００１２】
ガラリ本体１の胴部５の左側辺部５ｃと右側辺部５ｄの各上端部には、軸受用凹部９が相対向する位置に形成されている。可動ロック部材１０は、左右一対の側壁板部１１，１１の中間部に左右一対のフィン状の庇部材１２，１２を連結し、各庇部材１２の折曲げ先端部１３，１３間にロックピン１４を架設したものである。左右の側壁板部１１の基端部に形成された支軸１５は、ロックピン１４と平行に配置されている。可動ロック部材１０の各支軸１５は胴部５の前記軸受凹部９に弾性係合させられる。
左右の側壁板部１１の基端部側面に突設された留止突起１６は庇部材１２の根元部と重なり合うように側壁板部１１と一体に形成されており、可動ロック部材１０を支軸１５の周りにロック成立位置に回転させたとき、留止突起１６は、あたかも前記胴部５の上側辺部をなすようにアーム状に長く形成されている。
額縁部２に対面する留止突起１６の側面は係止突起６と同様に複数個の段丘状の傾斜面で構成され、装着対象物７の一定範囲内の肉厚の変動に対応できるようになっている。
【００１３】
ガラリ本体１の胴部５には、下側辺部５ｂの中央部に仕切り板１７が固着されており、フィン状庇部材４の補強手段となっている。可動ロック部材１０のロックピン１４が係脱するピン受溝１８は、前記仕切り板１７の側縁部に前後水平方向に形成されており、ピン受溝１８の入口部の上側隅部には、可動ロック部材１０の回転時にロックピン１４と干渉しないように逃げ斜面１９が形成されている。
ガラリ本体１の胴部５の左側辺部５ｃと右側辺部５ｄには３個の連結受孔２０が左右水平方向に形成されている。
フィルタケース２２の内側空間にはフィルタ部材２１が収容され、フィルタケース２２に弾性係合するフィルタ押さ枠体２３によって定位置に保持されている。フィルタケース２２の左右側面には３個の連結突起２４が突設され、前記連結受孔２０と連結突起２４を弾性係合させることによって、フィルタケース２２がガラリ本体１の胴部５の内側空間に装着される。
【００１４】
ガラリ本体１の装着状態では、取付用開口部８の下側の縁辺部すなわち一側の縁辺部８ｂが額縁部２の下側辺部２ｂと係止突起６の間に挟持され、取付用開口部８の上側の縁辺部すなわち他側の縁辺部８ａが額縁部２の上側辺部２ａと留止突起１６の間に挟持され、額縁部２の全体が取付用開口部８の周囲の装着対象物７に突き当てられている。
【００１５】
本実施例では換気ガラリはファンユニット２５と組み合わせて使用されるものである。ファンユニット２５はビス３２によってユニットカバー２６に固着されている。また、ユニットカバー２６にはビス３３によってコネクタ３４が固着されている。ユニットカバー２６は周縁部の連結孔２７を通るビスなどの固着具２８によって、装着対象物７に締付け固着されている。ユニットカバー２６の左右側壁にはファンネット２９の側面突起３０が弾性係合する連結溝孔３１を設けてある。ファンユニット２５とガラリ本体１は、ファンネット２９及び装着対象物７を間に挟んで対面している。前記固着具２７の先端部は、ガラリ本体１の額縁部２によって隠蔽されている。
なお、上記実施例とは逆にして可動ロック部材１０の軸受用凹部９をガラリ本体１の側に設け、ガラリ本体１の支軸１５を可動ロック部材１０の側に設けることもできる。また、装着対象物は機器格納用筐体には限定されない。
【図面の簡単な説明】
【００１６】
【図１】本発明の一実施例に係る換気ガラリとファンユニットの分解斜視図である。
【図２】図１の換気ガラリとファンユニットを装着対象物に装着した状態の平面図である。
【図３】図１の換気ガラリの分解斜視図である。
【図４】図３の換気ガラリの要部をなすガラリ本体の縦断面図であり、可動ロック部材は留止突起が取付用開口部の縁辺部を挟みつけていない退避位置にある。
【図５】図３のガラリ本体の縦断面図であり、可動ロック部材は留止突起が取付用開口部の縁辺部を挟みつけている実効位置にある。
【図６】図１のファンユニットの分解斜視図である。
【図７】図１の換気ガラリに組み込まれたフィルタの分解斜視図である。
【符号の説明】
【００１７】
１    ガラリ本体
２    ガラリ本体の額縁部
２ａ  額縁部の上側辺部
２ｂ  額縁部の下側辺部
３    通気用開口部
４    庇部材
５    ガラリ本体の胴部
５ｂ  胴部の下側辺部
５ｃ  胴部の左側辺部
５ｄ  胴部の右側辺部
６    係止突起
７    装着対象物
８    取付用開口部
８ａ  取付用開口部の上側の縁辺部
８ｂ  取付用開口部の下側の縁辺部
９    ガラリ本体の軸受用凹部
１０  可動ロック体
１１  可動ロック体の側壁板部
１２  可動ロック体の庇部材
１３  庇部材の折曲げ先端部
１４  可動ロック体のロックピン
１５  可動ロック体の支軸
１６  可動ロック体の留止突起
１７  胴部の仕切り板
１８  ガラリ本体のピン受溝
１９  ピン受溝の逃げ斜面
２０  ガラリ本体の連結受孔
２１  フィルタ部材
２２  フィルタケース
２３  フィルタ押え枠体
２４  フィルタケースの連結突起
２５  ファンユニット
２６  ユニットカバー
２７  連結孔
２８  固着具
２９  ファンネット
３０  ファンネットの側面突起
３１  ユニットカバーの連結溝孔
【図１】
2006098028.tif 000003
【図２】
2006098028.tif 000004
【図３】
2006098028.tif 000005
【図４】
2006098028.tif 000006
【図５】
2006098028.tif 000007
【図６】
2006098028.tif 000008
【図７】
2006098028.tif 000009